(57)【要約】【課題】  防水の構造を簡単にすることができ、施工も容易になる機能パネル設置屋根の水処理構造を提供する。【解決手段】  屋根下地１の上に機能パネル２を配置して取り付けると共に機能パネル２の周囲において屋根下地１の上に屋根材３を葺いて形成される機能パネル設置屋根に関する。機能パネル２を支持して取り付ける取付具４を上面に設けたベース板５を屋根下地１の上に載置して固定する。ベース板５の妻側の側端部の下面と、ベース板５の妻側に隣接して配設される屋根材３のベース板５側の側端部の下面との間に跨って、両側端部を上面側に折り返して水切り片６を形成した側部水切り板７を配設する。【選択図】  図１
2006063688.tif 000002
【特許請求の範囲】
【請求項１】
屋根下地の上に機能パネルを配置して取り付けると共に機能パネルの周囲において屋根下地の上に屋根材を葺いて形成される機能パネル設置屋根であって、機能パネルを支持して取り付ける取付具を上面に設けたベース板を屋根下地の上に載置して固定し、ベース板の妻側の側端部の下面と、ベース板の妻側に隣接して配設される屋根材のベース板側の側端部の下面との間に跨って、両側端部を上面側に折り返して水切り片を形成した側部水切り板を配設して成ることを特徴とする機能パネル設置屋根の水処理構造。
【請求項２】
ベース板の棟側端部の上に上部水切り板の軒側端部を重ね、ベース板の棟側に隣接して葺かれる屋根材をこの上部水切り板の上に載置して配置して成ることを特徴とする請求項１に記載の機能パネル設置屋根の水処理構造。
【請求項３】
両側端部を上面側に折り返して水切り片を形成した側部水切り板を屋根下地の上に取り付け、次に、機能パネルを支持して取り付ける取付具を上面に設けたベース板を、その妻側の側端部を側部水切り板の一方の側端部の上に重ねて、屋根下地の上に載置して固定し、次で、ベース板の棟側端部の上に軒側端部を重ねた状態で上部水切り板を屋根下地の上に取り付け、この後、ベース板の妻側に隣接して配設される屋根材を、そのベース板側の側端部を側部水切り板のベース板から突出する側の側端部の上に重ねて屋根下地の上に葺くと共に、ベース板の棟側に隣接して配設される屋根材を、上部水切り板の棟側端部の上に重ねて屋根下地の上に葺くことを特徴とする機能パネル設置屋根の施工方法。
【発明の詳細な説明】
【技術分野】
【０００１】
本発明は、太陽電池パネルなど、所定の機能を有する機能パネルを設置した屋根の水処理構造及び施工方法に関するものである。
【背景技術】
【０００２】
所定の機能を有する機能パネル、例えば太陽電池パネルを家屋の屋根の上に取り付けることが行なわれている。そして機能パネルを屋根の上に取り付ける場合、野地板などの屋根下地の上に葺かれた屋根材の上に機能パネルを支持して取り付ける工法の他に、機能パネルを通常の屋根材と並べて屋根下地の上に取り付ける工法がある。
【０００３】
図６は後者の工法で太陽電池パネルなどの機能パネル２を設置するようにした屋根を示すものであり、複数枚の機能パネル２を屋根下地１の上に段葺きし、この機能パネル２の周囲にスレート瓦などで形成される通常の屋根材３を屋根下地１の上に葺き上げることによって、機能パネル設置屋根を形成するようにしてある（例えば特許文献１等参照）。
【特許文献１】特開２００２−３１７５４１号公報
【発明の開示】
【発明が解決しようとする課題】
【０００４】
上記の図６の機能パネル設置屋根では、機能パネル２の取り付けは、固定具（図示省略）を屋根下地１の上に固定すると共にこの固定具の上に機能パネル２を支持して取り付けることによって行なわれている。そして機能パネル２とその棟側の屋根材３との間に上部ジャンプ台板１５を設け、屋根の上に降った雨水を屋根材３から上部ジャンプ台板１５の上面を通して機能パネル２の上に流し、機能パネル２の上面を流下させて排水するようにしてある。
【０００５】
このため、機能パネル２とその周囲の屋根材３との間の防水は、機能パネル２と屋根材３との間で行なわれており、防水の構造が複雑になるという問題を有するものであった。
【０００６】
本発明は上記の点に鑑みてなされたものであり、防水の構造を簡単にすることができ、施工も容易になる機能パネル設置屋根の水処理構造及び機能パネル設置屋根の施工方法を提供することを目的とするものである。
【課題を解決するための手段】
【０００７】
本発明の請求項１に係る機能パネル設置屋根の水処理構造は、屋根下地１の上に機能パネル２を配置して取り付けると共に機能パネル２の周囲において屋根下地１の上に屋根材３を葺いて形成される機能パネル設置屋根であって、機能パネル２を支持して取り付ける取付具４を上面に設けたベース板５を屋根下地１の上に載置して固定し、ベース板５の妻側の側端部の下面と、ベース板５の妻側に隣接して配設される屋根材３のベース板５側の側端部の下面との間に跨って、両側端部を上面側に折り返して水切り片６を形成した側部水切り板７を配設して成ることを特徴とするものである。
【０００８】
また請求項２の発明は、請求項１において、ベース板５の棟側端部の上に上部水切り板８の軒側端部を重ね、ベース板５の棟側に隣接して葺かれる屋根材３をこの上部水切り板８の上に重ねて屋根下地１上に配置して成ることを特徴とするものである。
【０００９】
また、本発明の請求項３に係る機能パネル設置屋根の施工方法は、両側端部を上面側に折り返して水切り片６を形成した側部水切り板７を屋根下地１の上に取り付け、次に、機能パネル２を支持して取り付ける取付具４を上面に設けたベース板５を、その妻側の側端部を側部水切り板７の一方の側端部の上に重ねて、屋根下地１の上に載置して固定し、次で、ベース板５の棟側端部の上に軒側端部を重ねた状態で上部水切り板８を屋根下地１の上に取り付け、この後、ベース板５の妻側に隣接して配設される屋根材３を、そのベース板５側の側端部を側部水切り板７のベース板５から突出する側の側端部の上に重ねて屋根下地１の上に葺くと共に、ベース板５の棟側に隣接して配設される屋根材３を、上部水切り板８の棟側端部の上に重ねて屋根下地１上に葺くことを特徴とするものである。
【発明の効果】
【００１０】
本発明によれば、機能パネル２はベース板５の上に取付具４で取り付けて屋根に設置されるものであり、機能パネル２とその周囲の屋根材３との間の防水は、ベース板５と屋根材３との間の水切りによって行なうことができるものである。そしてベース板５と妻側に隣接する屋根材３との間の水切りは、その両者の下面間に側部水切り板７を設けることによって行なうことができ、またベース板５とその棟側に隣接する屋根材３との間の水切りは、ベース板５の棟側端部に上部水切り板８の軒側端部を重ねると共に屋根材３を上部水切り板８の上に重ねることによって行なうことができるものである。このように、側部水切り板７や上部水切り板８を用いた簡単な構造で、防水の施工を容易に行なうことができるものである。
【発明を実施するための最良の形態】
【００１１】
以下、本発明を実施するための最良の形態を説明する。
【００１２】
図１は機能パネル設置屋根を施工する手順を示すものである。図１において１は野地板などで形成される屋根下地を示すものであり、屋根下地１の上には必要に応じて防水シート１６などが敷いてある（図３参照）。まず、図１（ａ）のように、機能パネル２を設置する部分より軒側に配置される屋根材３を屋根下地１の上に葺く。屋根材３はスレート瓦などで形成されるものであり、妻方向に屋根材３を一列に配置して固定すると共に、この一列に配置された屋根材３の棟側略半分の上に軒側略半分を重ねた状態で、さらに屋根材３を妻方向に一列に配置して固定するという作業で、屋根材３を葺く施工が行なわれるものである。そしてこのように葺いた上段の屋根材３の棟側略半分の上に軒側端部を重ねた状態で、側部水切り板７を図１（ａ）のように屋根下地１の上に載置して、釘打ちやビス止め等で固定する。側部水切り板７の妻側の両側端部は内方へ向けて上面側に折り返してあって、横Ｕ字形に屈曲する水切り片６が形成してある（図３参照）。またこの側部水切り板７の軒棟方向の長さは、ベース板５の軒棟方向の寸法よりも長くなるように形成してある。
【００１３】
ベース板５は矩形の金属板などで形成されるものであり、その上面の複数箇所に取付具４がビス止め等で固定して設けてある（図４参照）。またベース板５には凹凸屈曲加工によって軒棟方向の突条１８を複数本設け、突条１８間に軒棟方向の排水用溝部１９が形成されるようにしてある（図３参照）。そしてこのベース板５は図１（ｂ）のように、その軒側端部を屋根材３の棟側略半分の上に重ね、またその妻側の側端部を側部水切り板７の側部略半分の上に重ね、この状態で屋根下地１の上に取り付けられるものである。ベース板５の取り付けは、固定バー２０から固定ビス２１をベース板５を通して屋根下地１にねじ込み、固定バー２０でベース板５を押え付けることによって行なうことができるものである（図４参照）。ここで、側部水切り板７の棟側端部はベース板５の棟側端部よりも棟側に突出して露出するようにしてある。
【００１４】
上部水切り板８は金属板などでその妻方向の長さをベース板５の棟側端縁の妻方向の寸法より長くした矩形に形成されるものであり、軒側先端部には棟側へ向けて下面側に折り返してハゼ部２３が形成してある。そして上記のようにベース板５を屋根下地１上に取り付けた後、図１（ｃ）のように、上部水切り板８の軒側端部をベース板５の棟側端部の上に載置した状態で、上部水切り板８を屋根下地１の上に取り付ける。上部水切り板８の取り付けは、図５に示すように、ベース板５の棟側端部の上にハゼ受け具２４をビス等の固着具２５で固定し、このハゼ受け具２４に上部水切り板８のハゼ部２３を引っ掛け係止することによって行なうことができるものである。ここで、上部水切り板８はその妻側端部が、側部水切り板７のベース板５から突出する棟側端部の上に重ねられるように配置されるものである。また、上部水切り板８の棟側端部から屋根下地１の上にかけて防水テープ３０を貼り、上部水切り板８の棟側端縁の防水性を得ることができるようにするのが好ましい。
【００１５】
太陽電池パネルなどの機能パネル２を屋根に複数枚取り付ける場合、複数枚のベース板５を並べて屋根下地１の上に取り付けることになる。そして妻方向に隣合うベース板５の接続は、各ベース板５の妻側端部同士を必要に応じてシール材などを介して上下に重ねることによって行なうことができる。また軒棟方向に隣り合うベース板５は、軒側のベース板５の棟側端部の上に棟側のベース板５の軒側端部を必要に応じてシール材などを介して上下に重ねることによって行なうことができる。棟側に位置する上段のベース板５を取り付けるときには、上記と同様に、予め側部水切り板７を屋根下地１の上に取り付けておき、この側部水切り板７の上にベース板５の妻側端部を重ねるようにするものであり、また図１（ｄ）のように上段のベース板５の棟側端部に上部水切り板８を重ねて取り付けるようにするものである。このように、複数枚の機能パネル２を並べて配置するにあたって、機能パネル２を取り付けるためのベース板５の端部同士を重ねるという簡単な構造で、隣り合う機能パネル２間の防水性を確保することができるものであり、機能パネル２の間に防水性を確保しながら機能パネル２の接続を行なうというような複雑な施工をする必要がなくなって、施工が容易になるものである。
【００１６】
上記のように屋根下地１の上にベース板５を取り付けた後、図１（ｅ）及び図２に示すように、太陽電池パネルなどの機能パネル２をベース板５の上に取り付ける。機能パネル２の取り付けは、ベース板５の上に固定された取付具４の嵌合凹部２６に機能パネル２の端部を嵌合することによって行なうことができるものであり、機能パネル２とベース板５との間には雨水を流す隙間が形成されるようにしてある（図３及び図４参照）。また、ベース板５の妻側端部や、棟側端部、さらに軒側端部にはそれぞれ化粧カバー２７を取り付けて、機能パネル２とベース板５の端部間の開口を覆うようにしてある。化粧カバー２７の取り付けは、ベース板５上の取付具４にビス等の固着具２５で化粧カバー２７の基部を固定することによって行なうことができるものであり、化粧カバー２７の下端とベース板５の上面との間には、雨水は通過するが落ち葉等のゴミは通過しない程度の小間隙が形成されるようにしてある（図３及び図４参照）。
【００１７】
次に、図１（ｆ）のように、機能パネル２を取り付けたベース板５の周囲を含めて、屋根下地材１の全面に屋根材３を葺くことによって、機能パネル２を設置した屋根を形成することができるものである。
【００１８】
ここで、ベース板５の妻側に隣接して配置される屋根材３は、図３に示すように、そのベース板５側の側端部を、ベース板５から突出して露出する側部水切り板７の側部半分の上に載置した状態で、屋根下地１に取り付けられるものである。従って、屋根材３の側端部とベース板５の側端部の間に雨水が浸入しても、この雨水は側部水切り板７の上を軒方向へ流されて排出されるものであり、また側部水切り板７の両側端に設けた水切り片６で堰き止められて屋根材３やベース板５の下面に雨水が浸入することを防ぐことができるものである。尚、図３のように、側部水切り板７の上面と、屋根材３やベース板５の下面との間にシール材２８を設けることによって、封水性を高めることができるものである。
【００１９】
またベース板５の棟側に隣接して配置される屋根材３は、図４に示すように、その軒側端部を上部水切り板８の上に載置した状態で、屋根下地１に取り付けられるものである。ここで、屋根上に降った雨水が棟側から軒側へと流下する際に、屋根材３上の雨水はベース板５の上へと流れ、図４の矢印のように化粧カバー２７の下端の隙間から機能パネル２の下側へ流入して、ベース板５の主として排水用溝部１９を流下し、軒先へと排出されるものである。そしてこのとき、ベース板５の棟側端部に隣接する屋根材３にその軒側端部から下面側に雨水が回り込んで浸入しても、この雨水は上部水切り板８で受けられて、上部水切り板８からベース板５の上面へと流されるものであり、ベース板５の下面側に雨水が浸入することを防ぐことができるものである。
【００２０】
上記のように本発明では、機能パネル２はベース板５の上に取付具４で取り付けて屋根に設置するようにしてあるので、機能パネル２とその周囲の屋根材３との間の防水は、ベース板５と屋根材３との間の水切りによって行なうことができるものである。すなわち上記の図３のように、ベース板５と妻側に隣接する屋根材３との間の水切りは、その両者の下面間に側部水切り板７を設けることによって行なうことができるものであり、また上記の図４のように、ベース板５とその棟側に隣接する屋根材３との間の水切りは、ベース板５の棟側端部に上部水切り板８の軒側端部を重ねると共に屋根材３を上部水切り板８の上に重ねることによって行なうことができるものである。このように本発明では、側部水切り板７や上部水切り板８を用いた簡単な構造で、防水の施工を容易に行なうことができるものである。
【００２１】
尚、機能パネル２として上記の実施の形態では太陽電池パネルを例示したが、これのみに限定されるものではなく、例えば機能パネル２として太陽熱温水パネルなどを用いることもできる。
【図面の簡単な説明】
【００２２】
【図１】本発明の実施の形態の一例を示すものであり、（ａ）乃至（ｆ）はそれぞれ施工の各工程の斜視図である。
【図２】図１（ｅ）の工程の拡大した斜視図である。
【図３】図２のイ−イ線部分の拡大断面図である。
【図４】図１（ｆ）のロ−ロ線部分の拡大断面図である。
【図５】本発明の実施の形態の一例における上部水切り板の施工の状態を示す一部の拡大した断面図である。
【図６】従来例の斜視図である。
【符号の説明】
【００２３】
１  屋根下地
２  機能パネル
３  屋根材
４  取付具
５  ベース板
６  水切り片
７  側部水切り板
８  上部水切り板
【図１】
2006063688.tif 000003
【図２】
2006063688.tif 000004
【図３】
2006063688.tif 000005
【図４】
2006063688.tif 000006
【図５】
2006063688.tif 000007
【図６】
2006063688.tif 000008